(57)【要約】【課題】木材や金属、プラスチック等の板に微細な幅のスリットを形成する際に使用する、スリット形成用電動工具を提供すること。【解決手段】スリット形成用電動工具であって、持ち手の部分にはモータが内蔵されており、持ち手に対して支持部を介して設けられた先端部は鋸刃を有しており、該先端部が支持部の長さ方向に対して垂直方向に往復運動し、あるいは先端部と支持部は、支持部が持ち手に接続された点を起点として扇形に運動し、鋸刃の刃渡りが４ミリ以下であり、鋸刃の全ての切り歯の先端の高さが揃っている、スリット形成用電動工具。【選択図】図１
0003227391.tif 000002
【実用新案登録請求の範囲】
【請求項１】
スリット形成用電動工具であって、
持ち手の部分にはモータが内蔵されており、持ち手に対して支持部を介して設けられた先端部は鋸刃を有しており、
該先端部が支持部の長さ方向に対して垂直方向に往復運動し、あるいは先端部と支持部は、支持部が持ち手に接続された点を起点として扇形に運動し、
鋸刃の刃渡りが４ミリ以下であり、
鋸刃の全ての切り歯の先端の高さが揃っている、スリット形成用電動工具。
【請求項２】
請求項１に記載のスリット形成用電動工具であって、
先端部が支持部の長さ方向に対して垂直方向の面を有し、
該面の上端と下端の両方に鋸刃が設けられており、
片方の刃渡りは４ミリ以下であり、もう片方の刃渡りは４ミリより長い、スリット形成用電動工具。
【考案の詳細な説明】
【技術分野】
【０００１】
本考案は、木材や金属、プラスチック等の板に微細な幅のスリットを形成する際に使用する、スリット形成用電動工具に関するものである。
【背景技術】
【０００２】
木材や金属、プラスチック等に細かい作業を行うための電動工具として、例えば特許文献１、２のような工具が知られている。
また鋸刃を用いて板にスリットを形成するものとして、例えば特許文献３、４に記載のものが知られている。
しかしながら、例えば組立模型等の非常に細かい部品に、微細な幅のスリットを形成し得る電動工具はまだ知られていなかった。
【先行技術文献】
【特許文献】
【０００３】
【特許文献１】特開平９−６６４５５号公報
【特許文献２】特開２００２−１８６１２号公報
【特許文献３】特開２０１９−１７７５１５号公報
【特許文献４】特表２０００−５１２５６１号公報
【考案の概要】
【考案が解決しようとする課題】
【０００４】
本考案は、例えば組立模型等の非常に細かい部品に、微細な幅のスリットを形成し得る電動工具を提供することを目的とする。
【課題を解決するための手段】
【０００５】
１．スリット形成用電動工具であって、
持ち手の部分にはモータが内蔵されており、持ち手に対して支持部を介して設けられた先端部は鋸刃を有しており、
該先端部が支持部の長さ方向に対して垂直方向に往復運動し、あるいは先端部と支持部は、支持部が持ち手に接続された点を起点として扇形に運動し、
鋸刃の刃渡りが４ミリ以下であり、
鋸刃の全ての切り歯の先端の高さが揃っている、スリット形成用電動工具。
２．１に記載のスリット形成用電動工具であって、
先端部が支持部の長さ方向に対して垂直方向の面を有し、
該面の上端と下端の両方に鋸刃が設けられており、
片方の刃渡りは４ミリ以下であり、もう片方の刃渡りは４ミリより長い、スリット形成用電動工具。
【考案の効果】
【０００６】
本考案の電動工具は、刃渡りが非常に狭いので、従来の電動工具よりも微細な幅のスリットを、容易に形成することができる。
また刃渡りの異なる鋸刃を設けることで、工具そのものを交換する手間なく、所望の幅のスリットを形成することもできる。
さらに鋸刃を有する先端部が、支持部が持ち手に接続された点を起点として扇形に運動する場合は、支持部の長さによって異なる幅のスリットを形成することができる。
【図面の簡単な説明】
【０００７】
【図１】本考案のスリット形成用電動工具の一例
【図２】本考案のスリット形成用電動工具で鋸刃を二つ有する例
【図３】本考案のスリット形成用電動工具の一例
【考案を実施するための形態】
【０００８】
本考案のスリット形成用電動工具は、手持ちで使用するのに特に適している。
本考案を図を用いて説明する。
図１は、本考案のスリット形成用電動工具の一例である。
図１のスリット形成用電動工具は、持ち手１に支持部Ａを介して設けられた先端部２を有する。持ち手１の内部にはモータがあり、そのモータを駆動させることによって、先端部２が支持部Ａと共に、図中の矢印の方向（支持部Ａの長さ方向に対して垂直方向）に往復運動する。
先端部２には、持ち手１と反対の端に鋸刃が設けられている。
先端部２の鋸刃を木材や金属、プラスチック等の板の加工対象物に押し当てて、モータを駆動させると、その加工対象物表面を切断することによりスリットを形成することができる。
ここで鋸刃の刃渡りは４ミリ以下が好ましく、３ミリ以下が更に好ましい。このことによって、非常に長さが短いスリットを形成できる。刃の厚さは０．１〜０．２ミリ程度が好ましい。
また鋸刃の全ての切り歯の先端の高さが揃っているので、モータ駆動時に板に均等に力が加わり、きれいなスリットを形成することができる。
【０００９】
図２は、本考案のスリット形成用電動工具で鋸刃を二つ有する例である。
図２のスリット形成用電動工具は、持ち手１と、支持部と、支持部に接続された垂直方向の面を有する先端部２を備えている。鋸刃３、４は、該面の上端と下端にそれぞれ設けられている。持ち手１の内部にはモータがあり、そのモータを駆動させることによって、先端部２が支持部と共に垂直方向に往復運動し、それにともなって鋸刃３、４が図中の矢印の方向に往復運動する。
ここで、鋸刃３の刃渡りは４ミリ以下が好ましく、更に３ミリ以下が好ましい。鋸刃４の刃渡りは鋸刃３のものより長い。このように異なる刃渡りの鋸刃を設けることによって、電動工具を取り換えることなく、所望の長さのスリットを形成できる。刃の厚さは０．１〜０．２ミリ程度が好ましい。
【００１０】
図１と図２のスリット形成用電動工具は、支持部Ａに対する鋸刃の位置が異なり、その結果、鋸刃の往復運動の方向が異なる。
本考案の電動工具の鋸刃は、必要により支持部ごと取り換え可能であるので、スリットを形成する位置や幅、さらに加工対象物の材質等に応じて、使いやすい鋸刃を選択できる。
【００１１】
図３に、本考案のスリット形成用電動工具の別の例を示す。図３に示す電動工具において、持ち手内部のモータを駆動させると、先端部が持ち手との境界Ｂを起点として矢印の方向に扇形に往復運動する。このとき、鋸刃の支持部が短い場合には、鋸刃が扇形に往復運動する弧の長さが小さくなる。その結果、対象物により短いスリットを形成できる。逆に支持部が長い場合には、たとえ刃の長さが同じであっても、より長いスリットを形成できる。
【００１２】
また、本考案のスリット形成用電動工具において、支持部を直線形状ではなく曲げた形状にすることができる。その結果、先端に設けた鋸刃は曲げられた支持部と共に直線方向又は扇形に往復運動する。それにより電動工具の持ち手を鉛筆のように握った場合（つまり電動工具を加工対象物に対して斜めになるように把持した場合）でも、加工対象物表面に対して鋸刃を直角に当ててスリットを形成できる。この場合、例えば手首を机に接したまま作業できるので、電動工具が安定し、作業が容易になる。
【００１３】
その他にも先端部を可動式にして、軸に対して任意の角度で固定できるようにすることも可能である。このことで、直線状の電動工具ではアプローチしにくい場所にもスリットを形成することができる。
【００１４】
さらに、このスリット形成用電動工具を、組立模型のパーツをゲートから取り外す際や、パーツのバリ取りの際に使用することもできる。ゲートやバリの根元に鋸刃を当てて電動工具を駆動させることで、パーツをゲートから取り外したり、バリを削り取ったりすることができる。
【産業上の利用可能性】
【００１５】
本考案のスリット形成用電動工具は、木材や金属、プラスチック等の板に微細な幅や長さのスリットを形成する際に使用することができる。
【符号の説明】
【００１６】
１・・・持ち手
２・・・先端部
３・・・鋸刃
４・・・鋸刃
Ａ・・・支持部
Ｂ・・・先端部と持ち手の境界
【図１】
0003227391.tif 000003
【図２】
0003227391.tif 000004
【図３】
0003227391.tif 000005